(57)【要約】【課題】  家庭内で毛染め作業を行う人用に、使用しない時コンパクトに収納できる頭部観察装置を提供する。【解決手段】  右９０°、左９０°回動する支柱（３）において、支柱の中央０°の位置のとき、第１カメラ（８）が人頭の上部から頂頭部を、第２カメラ（９）に映像を切り換えて後頭部を、支柱を右９０°の位置のとき第１カメラで右側頭部を、支柱を左９０°の位置のとき第１カメラで左側頭部をディスプレイ（１０）画面に映像表示される。自分の所望する頭部を見ながら両手を使って納得いくまで毛染め等の作業ができる。  使用しない時は第２アーム（７）を第１アーム（５）方向へ折り畳み第１アームを９０°回動させれば、コンパクトな収納ができる。（収納方法は４通ある）この状態でケース等に納めて押入れ等に格納もでき、又洗面台と天井の空きスペースに昇降装置で格納もでき、家庭内での置き場所の問題を解決できる。【選択図】図１
2014108335.tif 000002
【特許請求の範囲】
【請求項１】
人の頭部を撮像してディスプレイ画面に表示する頭部観察装置において、顔の正面に立設される平板形状の基盤と、
前記基盤の下方中央に支持軸を設けその支持軸の一端に基盤面に平行回動する支柱と、
前記支柱に対して直交方向に回動可能に連結され頭部の方向に伸びて設けられる第１アームと、
前記第１アームの先端には内側方向に頭部の後方に向けて弓形状に曲がって伸びて設けられる第２アームと、
頭頂部を撮像可能な位置で、前記第１アーム又は後頭部を撮像可能な位置で前記第２アームに設けられるカメラと、
前記カメラから送られてくる撮像データを表示するディスプレイとを備えたことを特徴とする頭部観察装置。
【請求項２】
人の頭部を撮像してディスプレイ画面に表示する頭部観察装置において、顔の正面に立設される平板形状の基盤と、
前記基盤の下方中央に支持軸を設けその支持軸の一端に基盤面に平行回動する支柱と、
前記支柱に対して直交方向に回動可能に連結され頭部の方向に伸びて設けられる第１アームと、
前記第１アームの先端には内側方向に頭部の後方に向けて弓形状に曲がって伸びて設けられる第２アームと、
頭頂部を撮像可能な位置で前記第１アームに設けられる第１カメラと、
後頭部を撮像可能な位置で前記第２アームに設けられる第２カメラと、
前記第１カメラ及び第２カメラから送られてくる撮像データを表示するディスプレイとを備えたことを特徴とする頭部観察装置。
【請求項３】
支柱の基盤側上端にインナー部材を設け支持軸を中心とする支柱の回動によりそのインナー部材が通る軌跡の上に略半円弧状のアウターレールを基盤上に設け該アウターレールとインナー部材とが嵌合することを特徴とする請求項１又は請求項２記載の頭部観察装置。
【請求項４】
支柱の角度を回動制御させる為、基盤の裏側の支持軸に駆動制御モータを取り付けたことを特徴とする請求項１から請求項３のいずれか１項に記載の頭部観察装置。
【発明の詳細な説明】
【技術分野】
【０００１】  使用しないとき、家庭内の置き場所に考慮してコンパクトな収納を可能とした頭部観察装置に関する。
【背景技術】
【０００２】  自分の頂頭部、後頭部を見る場合、通常合わせ鏡や多面鏡を使って見ているが、この方法では一部視界を遮り見ずらかったり、片手で持ったりで自分で毛染めの作業をする人には満足できなかった。
又昨今、映像装置を使って見る方法もあるがカメラを頭部の遠方に置く為広いスペースを必要とし使用しない時の収納も考慮されてないので家庭内での置き場所には不適であった。そこで多面鏡を使って頭部を見る方法（例えば特許文献１参照）と、画像表示装置で見る方法（例えば特許文献２参照）が提案されている。
【先行技術文献】
【特許文献】
【０００３】
【特許文献１】  特開２００９−１７８３０２号公報
【特許文献２】  特開２０００−１３８９２６号公報
【発明の概要】
【発明が解決しようとする課題】
【０００４】  特許文献１は、各頭部は見えるものの後頭部を見るには光軸が長くなり写る像が小さくなる又多面鏡の特性として写っている像から目を逸らすと万華鏡の様にいろんな像が見えてしまう、最大の問題は頭部の回りを囲んでしまうので筐体が大きくなり収納構造がないため使用しない時場所をとる。この為家庭などで使用するには場所の制約が生じた。
特許文献２は壁面とアームの収納がなくアームを壁面（又は家具形式のもの）に取り付けるのは家庭内では現実的でなく、常時その場所を占有する事は一般的な家庭では無利である。装置の収納も出来ない為、使用しない時、押入れなどへの格納も出来ない。（ここで言う格納とは該装置を使用しない時別の場所に納めることを言う）【０００５】  本発明により自分で白髪染め、カラー染め、頭髪治療している人用に、自分の所望する頭部を見ながら、両手を使って、納得いくまで毛染め等の作業ができる様カメラの最適な配設と装置を提案し、又家庭内で使用できる様最少なるシンプル構造とし、使用しない時のコンパクトな収納性を実現した特徴により家庭内での狭い場所での使用が可能となり、使用しない時はケース等に入れて押入れ等に格納も出来る頭部観察装置の提供を目的とする。
【課題を解決するための手段】
【０００６】  請求項１の発明は人の頭部を撮像してディスプレイ画面に表示する頭部観察装置において、顔の正面に立設される平板形状の基盤（１）と、
前記基盤の下方中央に支持軸（２）を設けその支持軸の一端に基盤面に平行回動する支柱（３）と、
前記支柱に対して直交方向に回動可能に連結され頭部の方向に伸びて設けられる第１アーム（５）と、
前記第１アームの先端には内側方向に頭部の後方に向けて弓形状に曲がって伸びて設けられる第２アーム（７）と、
頭頂部を撮像可能な位置で、前記第１アーム又は後頭部を撮像可能な位置で前記第２アームに設けられるカメラと、
前記カメラから送られてくる撮像データを表示するディスプレイ（１０）とを備えたことを特徴とする。【０００７】  請求項２の発明は人の頭部を撮像してディスプレイ画面に表示する頭部観察装置において、顔の正面に立設される平板形状の基盤（１）と、
前記基盤の下方中央に支持軸（２）を設けその支持軸の一端に基盤面に平行回動する支柱（３）と、
前記支柱に対して直交方向に回動可能に連結され頭部の方向に伸びて設けられる第１アーム（５）と、
前記第１アームの先端には内側方向に頭部の後方に向けて弓形状に曲がって伸びて設けられる第２アーム（７）と、
頭頂部を撮像可能な位置で前記第１アームに設けられる第１カメラ（８）と、
後頭部を撮像可能な位置で前記第２アームに設けられる第２カメラ（９）と、
前記第１カメラ及び第２カメラから送られてくる撮像データを表示するディスプレイ（１０）とを備えたことを特徴とする。【０００８】  請求項３の発明は、支柱の基盤側上端にインナー部材（１４）を設け支持軸（２）を中心とする支柱の回動によりそのインナー部材が通る軌跡の上に略半円弧状のアウターレール（１５）を基盤上に設け該アウターレールとインナー部材とが嵌合することを特徴とする。【０００９】  請求項４の発明は支柱の角度を回動制御させる為、基盤の裏側の支持軸に駆動制御モータ（１１）を取り付けたことを特徴とする。【００１０】  請求項１においては第１アームと第２アームに設けられるカメラは１台で行い該カメラは例えば脱着可能として取り付けられていて、頂頭部、側頭部を見る場合に第１アームに取り付け、後頭部を見る場合には第２アームに取り付けるものである。
請求項２においては第１アーム及び第２アームに専用の第１カメラ及び第２カメラの２台を設けている。
上述した通りカメラ１台でも該装置が成り立つが以下請求項２のカメラ２台を使った方法でもって説明する。
第１カメラ及び第２カメラはワイヤレスタイプとしＬＥＤ照明又は有機ＥＬ照明つきでもよい。第２カメラは着脱自在とする。第１カメラと第２カメラとの映像を選択する映像切換スイッチを設ける。第１カメラ又はディスプレイに映像反転装置を設ける。ディスプレイは支柱の前側、人の目線の位置に設ける。
【発明の効果】
【００１１】  本発明の請求項２の構成により頂頭部、後頭部、側頭部をディスプレイに写すには支柱を基盤に対し中央０°の位置、右側９０°の位置、左側９０°の位置へ回動させることと映像切換スイッチの操作のみで各頭部が視認でき、この装置の単純な構成が簡単な操作となり故障も少なく安価に出来る。（カメラ、ディスプレイは別として）
更に後述する該装置の収納形態により、使用しない時の格納が可能となり家庭で使用する場合の置き場所に困らない事が最大の特徴となる。【００１２】  アウターレールとインナー部材を嵌合させるのはアームと支柱の前倒れを抑止する為のもので、アウターレールの右側９０°の位置と左側９０°の位置においてストッパーを付けておいて、支柱右９０°、左９０°の位置を保持出来る。操作の安定と確実性、耐久性が得られる。【００１３】  基盤の裏側の支持軸に駆動制御モータを取り付け支柱の角度を回動制御する様にして、この駆動態様と第１カメラ及び第２カメラの映像切換スイッチの組合せにより図３（ａ）〜（ｃ）の形態が実現でき、この組合せをマイクロプロセッサーを用いて設定して、操作スイッチにより頂頭部、後頭部、側頭部の所望の部位を選択してディスプレイに映像表示出来る。
またその表示順序を予め設定しておくことにより所定間隔で各部位を順次変換させるサイクルを全自動プログラムにより構成すれば、被写体となる人はディスプレイの前に一方向を向いたままの状態で各頭部が設定された時間だけ見ることが出来る。これは請求項２のバージョンアップで上級タイプとして店舗などに適する。
【図面の簡単な説明】
【００１４】
【図１】  本発明の一実施例を示す頭部観察装置の斜視図である。
【図２】  （ａ）基盤を正面から見た説明図である。（ｂ）支柱と第１アームの取り付け部の説明図である。（ｃ）アウターレールとインナー部材の説明図である。（ｄ）アウターレールとインナー部材の嵌合状態を示す説明図である。
【図３】  （ａ）頂頭部、後頭部を見る説明図であり図中に写される像を示す。（ｂ）右側頭部を見る説明図であり図中に写される像を示す。（ｃ）左側頭部を見る説明図であり図中に写される像を示す。
【図４】  アームが収納された状態の１例の説明図である。
【図５】  洗面台の上の空きスペースへ格納された状態の説明図である。
【図６】  壁に直付けされた状態の説明図である。
【発明を実施するための形態】
【００１５】  図１と図２により本発明の構成を説明する。
人物はディスプレイ（１０）の前第１アームの下側へディスプレイを向いて正対した顔の正面に立設された基盤（１）の中央下部の一面にその面と直角をなす支持軸（２）を備えて、該支持軸の他端には基盤面に平行回動する支柱（３）を備えて、支柱の他端には該支柱に対し直交方向に回動自在に連結された回動部（４）を介し頭部の方向に伸びた第１アーム（５）を備えている。第１アーム他端には内側方向へ屈曲部（６）を介して折り畳むことの出来る弓形状又はフレキシブルなる第２アーム（７）を備える。又第１アームと第２アームの屈曲部は脱着自在の構造として第２アームを取り外せる様に収納してもよい。
第１カメラ（８）及び第２カメラ（９）はそれぞれ頂頭部及び後頭部を撮像可能な位置の第１アーム及び第２アームの内側へ取り付け第１カメラと第２カメラとの映像を選択する映像切換スイッチを設ける。
右側頭部より左側頭部へ第１カメラが移動することは第１カメラが人頭の周囲を山なりに半回転（１８０°）するため第１カメラは反転しそのディスプレイの映像は天地逆となる。この現象を防ぐため、ディスプレイもしくは第１カメラに映像反転装置を設ける。
基盤面には支持軸（２）を中心とする支柱（３）の回動による軌跡上に略半円弧状のアウターレール（１５）を設け支柱の先端基盤側に設けたインナー部材（１４）と嵌合させて支柱の前倒れの抑止とする。アウターレールの右側９０°及び左側９０°の位置にはストッパーを設けて支柱の右９０°、左９０°の位置の保持とする。
支柱の角度を回転制御させる為支柱連結された支持軸の基盤の裏側には駆動制御モータ（１１）を直結し操作スイッチにより電動駆動又は全自動駆動にしてもよい。
【００１６】  図２により基盤と支柱の関係を説明する。
図２（ａ）は基盤（１）の正面から見た図であるが基盤の中央下部には支持軸（２）が設けられこの軸心を中心とした略半円弧状のアウターレール（１５）が基盤面に設けられている。このアウターレールの両端（右９０°の位置と左９０°の位置）はストッパー機能により該アウターレールと嵌合されるインナー部材（１４）により支柱（３）の右９０°の位置、左９０°の位置が保持される。又アウターレールの中央上部の位置には磁石Ａ（１２）が接着されている。
【００１７】  図２（ｂ）は支柱と第１アームの取り付け部の図であるが支柱（３）の上部基盤側には磁石Ｂ（１３）が接着されている。基盤側の磁石Ａと支柱側の磁石Ｂの吸引力で支柱の中央０°位置が保持される。この位置を脱出するにはこの吸引力に勝る力で支柱を動かせばよい。磁石Ｂの直ぐ下側にはインナー部材（１４）が取り付けられていて基盤のアウターレールと嵌合されることにより、支柱の前倒れの抑止となる。第１アーム（５）は回動部（４）により直交方向へ回動出来る様になっている。
図２（ｃ）はアウターレールとインナー部材であるが図２（ｄ）はそれぞれが嵌合された状態を示す。
【００１８】  頭部を見る操作について図３（ａ）〜（ｃ）により説明する。
頭頂部を見る場合は人物はディスプレイに対し正対し、支柱を中央０°の位置にて第１アームと第２アームを伸長させた状態で第１カメラを介してディスプレイで見る。（図３（ａ）参照図中左下に写される像を示す）
後頭部を見る場合は、上記の状態より映像切換スイッチを第２カメラに切換えてディスプレイで見る。（図３（ａ）参照図中右下に写される像を示す）
右側頭部を見る場合は、支柱を右９０°の位置にして第１カメラを介してディスプレイで見る。（図３（ｂ）参照図中に写される像を示す）
左側頭部を見る場合は、支柱を左９０°の位置にして第１カメラを介してディスプレイで見る。（図３（ｃ）参照図中に写される像を示す）
この様に各頭部は他の人の目から見たと同様な正対した映像が見え又、手ぶれ手づかれもないので納得いくまでリアルタイムに毛染め等の作業が両手を使って出来る。人物はディスプレイの前に正対するのみで人物の向きを変えたり、カメラの角度調整したりする必要もない。
【００１９】  ４通りある該装置の収納方法について説明する。
まず第１アームと第２アームを挟んで重なり合う状態に折り畳んだ形態で
第１の方法は支柱を右９０°回動させ第１アームを左９０°回動させる。（図４図参照）
第２の方法は支柱を左９０°回動させ第１アームを右９０°回動させる。
第３の方法は支柱を中央０°の位置において第１アームを右９０°回動させる。
第４の方法は支柱を中央０°の位置において第１アームを左９０°回動させる。
この４通り収納方法により４通りの収納形態が出来るのでそれぞれの格納場所に合わせた収納形態を選べばよい。
【００２０】  撮像装置によるプレミア。
頭髪の治療や髪の染め具合で毛の根元を見たい人はカメラの拡大機能で、ロングヘアの人は第２カメラのズームの広域表示で対応出来る。
自分の後姿（全体像）を見たい場合は、脱着自在とした第２カメラを取り外して、その全体像が写る距離まで下がり第２カメラを他の人に持ってもらうか三脚等で対応出来る。
頭髪の治療をしている人、又は今のヘアスタイルを記録しておきたい人は、その時の映像をデータベースに残しておき後日見たい時に任意に再生映像を取り出す。特に治療の場合は経過情報として比較対照出来て治療の効果の判断材料となる。
ディスプレイ画面をハーフミラーとすればディスプレイ画面を作動させない時は顔面（前頭部）を写す鏡となる。
本発明はカメラの配設手段と収納、格納の提案である為これら映像技術に関する技術的な説明は要点でないので省略する。
【実施例１】
【００２１】  家庭で使用する場合は、基盤に該装置が倒れない程度の台座を設け、机の上や鏡台の上に置いて使用すればよい。使用後はその場所が邪魔ならば収納後ケースに入れて押入れ等へ格納すればよい。最もよい方法として洗面台の鏡の前に該装置を目線の位置に置いて使用し、使用しない時は該装置を収納し洗面台と天井のスペースへ昇降装置（ボールネジ（１６）、ネジ棒（１７））で格納する。（図５参照）又別の方法として天井と洗面台の間に突っぱり棒を利用してモータ等で巻き上げ格納してもよい。
【実施例２】
【００２２】  店舗等で使用する場合は、図６の様に該装置を壁に直付けするかキャスター付スタンドで対応する。又（００１３）で説明した駆動制御モータを利用して全自動とすればグレードアップとして期待出来る。
【産業上の利用可能性】
【００２３】  頭髪の治療、髪の育毛、増毛、白髪染め、カラー染め等自分でする人、人前に出るときの、整髪、かつら、ウィッグの取付状態、染めムラ、薄毛のチェック、特に女性は着物、浴衣、結婚式、パーティーでのヘアスタイル変化、アップスタイル、ポニーテール、結び髪、カチューシャ、飾りゴム、リボン結び、ホットカラー巻き、襟り首剃り等要望により平面鏡、合わせ鏡、多面鏡等で頂頭部、後頭部を見たい人は多いのですが現状の日本には満足出来るものがない。撮像装置によるものにおいては収納や格納出来るものがない。本発明は狭い家庭内の狭い場所でもコンパクトな収納によってケースに入れて押入れ等に格納出来るので自分で毛染め等する人にとって場所の制約がないので歓迎される。
又頭髪を業とする理、美容院、育毛、発毛業界、白髪、カラー染め業界、かつら、ウィッグ業界等の店舗、劇場、テレビ局、結婚式場、ホテル、○○会館等全自動タイプにすればイメージアップ、グレードアップによる他店との差別化に貢献出来る。
該装置を収納することにより外観がコンパクト（１９インチテレビ程度）になる事は工場出荷時の梱包、運搬、在庫管理、店舗での展示、商品購入した場合の持ち帰り等の流通機構においても大きく躍進出来る。【００２４】  上述した様に説明は請求項２の第１カメラ、第２カメラの２台で行っているがカメラは１台で行ってもよい。
【符号の説明】
【００２５】１  基盤
２  支持軸
３  支柱
４  回動部
５  第１アーム
６  屈曲部
７  第２アーム
８  第１カメラ
９  第２カメラ
１０  ディスプレイ
１１  駆動制御モータ
１２  磁石Ａ
１３  磁石Ｂ
１４  インナー部材
１５  アウターレール
１６  ボールネジ
１７  ネジ棒
【図１】
2014108335.tif 000003
【図２】
2014108335.tif 000004
【図３】
2014108335.tif 000005
【図４】
2014108335.tif 000006
【図５】
2014108335.tif 000007
【図６】
2014108335.tif 000008